(57)【要約】【課題】ワイヤハーネスの電線に付着する水滴が、該ワイヤハーネスの端末に接続するコネクタに浸水するのを防止する止水具を提供する。【解決手段】ワイヤハーネス端末のコネクタ接続位置の手前で電線群に取り付ける止水具であって、上端連結部の左右両端から上下縦方向に延在する両側枠部を備えたフレームと、該フレームの両側枠部の内面に対向して突設する繊維毛状のブラシを備え、前記フレームの上端連結部を前記電線群に取り付けて、両側の前記ブラシの間に前記電線群を挿通させ、該電線群の外面に付着してコネクタへと伝わる水滴を前記フレームおよび前記ブラシとの接触で塞き止めて自重落下させる構成としている。【選択図】図４
2016067116.tif 000002
【特許請求の範囲】
【請求項１】
ワイヤハーネス端末のコネクタ接続位置の手前で電線群に取り付ける止水具であって、
上端連結部の左右両端から上下縦方向に延在する両側枠部を備えたフレームと、該フレームの両側枠部の内面に対向して突設する繊維毛状のブラシを備え、
前記フレームの上端連結部を前記電線群に取り付けて、両側の前記ブラシの間に前記電線群を挿通させ、該電線群の外面に付着してコネクタへと伝わる水滴を前記フレームおよび前記ブラシとの接触で塞き止めて自重落下させる構成としていることを特徴とするワイヤハーネス用の止水具。
【請求項２】
前記フレームの前記上端連結部は、
前記両側枠部の上端を後上方に傾斜させて屈曲させて横向き円弧部で連結し、該横向き円弧部の中央上端から上向きにテープ巻き片を突設させた形状とし、該テープ巻き片を下向き配線する前記電線群の後面に押し当ててテープ巻き固着すると共に、前記両側枠部を前記下向き配線より横向きに屈曲して前記コネクタに接続する電線群の両側外面に押し当てて配置する構成とし、または、
前記上端連結部は下向き円弧形状として前記両側枠部の上端に連結し、該フレームを下向き開口する逆Ｕ字形状とし、前記上端連結部を電線群の上面に被せて取り付けると共に前記両側枠部を前記電線群の両側外面に押し当てて配置する構成としている請求項１に記載のワイヤハーネス用の止水具。
【請求項３】
請求項１または請求項２に記載の止水具を用いたワイヤハーネスの止水構造であり、
車両の非浸水領域に設置される接続機器に向けて下向きに前記ワイヤハーネスを配索した後に前記接続機器との接続直前位置で横曲げし、該ワイヤハーネスの電線群の端末に接続する前記コネクタを上下縦向きとし、該コネクタと接続する前記電線群が上下に並び、
該コネクタとの接続部直前の前記電線群に前記止水具を取り付けていることを特徴とするワイヤハーネスの止水構造。
【請求項４】
自動車のインストルメントパネル内に前記ワイヤハーネスを配索し、該インストルメントパネル内に設置する電子制御ユニット（ＥＣＵ）あるいは／およびジャンクションボックスに設けた縦方向のコネクタ嵌合部に、前記ワイヤハーネスの端末側をＵターンさせることなく前記コネクタを嵌合している請求項３に記載のワイヤハーネスの止水構造。
【発明の詳細な説明】
【技術分野】
【０００１】
本発明はワイヤハーネス用の止水具および該止水具を用いたワイヤハーネスの止水構造に関し、特に、自動車内部の水がかかりにくい箇所に配線するワイヤハーネスの端末に非防水コネクタまたは簡易防水コネクタを接続する場合、該コネクタとの接続部の直前のワイヤハーネスに好適に取り付けられる止水具に関するものである。
【背景技術】
【０００２】
自動車等の車両に配索するワイヤハーネスに水がかかると、ワイヤハーネスを構成する電線の外面に水滴が付着し、この付着した水滴が電線外面を伝って電線端末に接続したコネクタ内に侵入する恐れがある。コネクタ内に浸水が発生するとコネクタ内に挿入係止している電線端末の端子に腐食が発生し、電気接続信頼性を損なう問題がある。
【０００３】
前記問題に対して、本出願人は特開２０１２−２５３８７７号公報（特許文献１）で、図１０（Ａ）（Ｂ）に示すようにワイヤハーネス１００を挿通するプロテクタ１１０を設け、該プロテクタ１１０の蓋１１１の下面から押下用仕切壁１１２を突設すると共に、プロテクタ本体１１３の底面に水抜き穴１１４を設け、該押下用仕切壁１１２によりワイヤハーネス１００をＵ字状に屈曲させた止水構造を提供している。該止水構造ではワイヤハーネスをＵ字状に屈曲させた部位で、電線外面に付着する水滴を自重落下させている。
【０００４】
特許文献１の止水用のプロテクタを設けた止水構造は、車両のエンジンルーム等の被水領域に配索するワイヤハーネスに対して好適に用いられるものであり、該被水領域でワイヤハーネスの電線端末と機器をコネクタ接続する場合、防水コネクタを用いてコネクタへの浸水を防止している。
これに対して、水がかかりにくい車室側の非被水領域では防水コネクタを用いる等の防水対策はなされておらず、コネクタも非防水コネクタまたは簡易防水コネクタが用いられている。しかしながら、車室内で乗員が水をこぼしたり、ドア開放時に水が吹き込む等により浸水が生じる場合があるため、電子制御装置（ＥＣＵ）やジャンクションボックス等にコネクタ接続するワイヤハーネスにも止水対策を施すことが好ましい。
【０００５】
該止水対策として、図１１に示すように、例えば、インストルメントパネル内に設置するジャンクションボックスまたはＥＣＵからなる電気接続箱１５０のコネクタ嵌合部１５０ａにワイヤハーネス１００の電線端末に接続したコネクタ１６０を嵌合接続する場合、コネクタ接続部分の直前でワイヤハーネス１００を下向きに折り曲げてテープ１７０を巻きつけてＵターン部２００を設け、ワイヤハーネス１００の電線に付着する水滴を自重落下させている。
【先行技術文献】
【特許文献】
【０００６】
【特許文献１】特開２０１２−２５３８７７号公報
【発明の概要】
【発明が解決しようとする課題】
【０００７】
前記図１１に示す構成とすると、コネクタ接続部の直前でワイヤハーネスを下向きに折り曲げてＵターンさせる２重経路となり、電線長さが大となる。かつ、周辺部品と干渉する恐れが多いため、干渉を防止する保護部材を設ける必要があり、部品コストがかかると共に作業手数もかかりコストアップとなる。さらに、周辺部品との関係上、設計の難易度が高くなる等の問題があると共に、Ｕターン作業はバラツキが発生しやすい問題もある。
【０００８】
本発明は前記問題に鑑みてなされたものであり、ワイヤハーネスの電線群をＵターンさせることなく簡単に水切りができるようにして、電線外面に付着した水滴がコネクタ内に浸水するのを確実に防止できるワイヤハーネスの止水具および該止水具を用いたワイヤハーネスの止水構造を提供することを課題としている。
【課題を解決するための手段】
【０００９】
前記課題を解決するため、本発明は、ワイヤハーネス端末のコネクタ接続位置の手前で電線群に取り付ける止水具であって、
上端連結部の左右両端から上下縦方向に延在する両側枠部を備えたフレームと、該フレームの両側枠部の内面に対向して突設する繊維毛状のブラシを備え、
前記フレームの上端連結部を前記電線群に取り付けて、両側の前記ブラシの間に前記電線群を挿通させ、該電線群の外面に付着して前記コネクタへと伝わる水滴を前記フレームおよび前記ブラシとの接触で塞き止めて自重落下させる構成としていることを特徴とするワイヤハーネス用の止水具を提供している。
【００１０】
前記フレームおよびブラシは樹脂製で、前記ブラシは、歯ブラシ等と同様に、可撓性を有する繊維毛を各側枠部の内面全体から植毛状態で密集させて突出し、左右のブラシの先端間に隙間をあけて突出する長さとしている。なお、左右のブラシの先端同士が接触する長さとしてもよい。
前記繊維毛は両側枠部の内面に設けた植付穴に繊維毛を束ねて植設しても良いし、繊維毛を突設したシートを両側枠部の内面に貼着してもよい。
【００１１】
前記両側のブラシの間に挿通する前記電線群は、端末に接続するコネクタの上下方向に配置する端子挿入口に各電線端末に接続した端子を挿入して上下方向に並べる電線群である。この上下方向に並べる電線群を幅方向で２列または１列として、前記左右のブラシの間に挿通している。
両側のブラシの間に１列で電線群を挿通すると、各電線に左右両側のブラシの繊維毛が接触し、該電線外面に付着する水滴を両側のブラシで塞き止めて払拭することができる。また、両側のブラシの間に２列で電線群を挿通すると、右列の電線の水滴は主として右側のブラシで払拭されると共に左側のブラシの先端側でも該右側電線の左面に付着する水滴が払拭される。同様に、左側の電線は主として左側のブラシで水滴が払拭されると共に該電線の右面に付着する水滴は右側のブラシの先端で払拭される。
【００１２】
本発明の止水具は、コネクタの電線挿入側端面から０〜２０ｍｍの位置に取り付ける事が好ましい。このように、コネクタとできるだけ近接させて止水具を取り付け、止水具とコネクタとの間の隙間を無くしまたは隙間を小さくして、上方から水滴が電線に付着しないようにすることが好ましい。
または、前記コネクタの電線挿入側端面と止水具との間に隙間を覆うひさし部を止水具のフレームの上端前面から突設し、該ひさし部を前記コネクタの電線挿入側端面に突き当ててもよい。
【００１３】
本発明の止水具の前記フレームの幅は２ｍｍ〜４ｍｍ、上下寸法は電線群に接続するコネクタの上下寸法と対応させることが好ましい。
【００１４】
本発明の前記フレームの前記上端連結部は、
前記両側枠部の上端を後上方に傾斜させて屈曲させて横向き円弧部で連結し、該横向き円弧部の中央上端から上向きにテープ巻き片を突設させた形状とし、該テープ巻き片を下向き配線する前記電線群の後面に押し当ててテープ巻き固着すると共に、前記両側枠部を前記下向き配線より横向きに屈曲して前記コネクタに接続する電線群の両側外面に押し当てて配置する構成とし、または、
前記上端連結部は下向き円弧形状として前記両側枠部の上端に連結し、該フレームを下向き開口する逆Ｕ字形状とし、前記上端連結部を電線群の上面に被せて取り付けると共に前記両側枠部を前記電線群の両側外面に押し当てて配置する構成としていることが好ましい。
【００１５】
また、本発明は前記止水具を取り付けたワイヤハーネスの止水構造を提供している。
該止水具を用いたワイヤハーネスの止水構造は、車両の非浸水領域に設置される接続機器に向けて下向きに前記ワイヤハーネスを配索した後に前記接続機器との接続直前位置で横曲げし、該ワイヤハーネスの電線群の端末に接続する前記コネクタを上下縦向きとし、該コネクタと接続する前記電線群が上下に並び、
該コネクタとの接続部直前の前記電線群に前記止水具を取り付けていることを特徴とする。
【００１６】
具体的には、自動車のインストルメントパネル内に前記ワイヤハーネスを配索し、該インストルメントパネル内に設置する電子制御ユニット（ＥＣＵ）あるいは／およびジャンクションボックスに設けた縦方向のコネクタ嵌合部に、前記ワイヤハーネスの端末側をＵターンさせることなく前記コネクタを嵌合している。
【発明の効果】
【００１７】
本発明の止水具は、略逆Ｕ形状のフレームの両側枠部の内面に樹脂毛等の繊維毛からなるブラシを設けた簡単かつ小型な構成で、言わば、２本のブラシを対向配置して上端を連結した簡単な形状であるため、安価に提供できると共に、設置スペースをとらない。かつ、ワイヤハーネスの電線端末のコネクタ接続箇所の直前で２本のブラシの間に電線を通すだけで良い。よって、従来のように電線をＵターンさせて止水する必要はなく、Ｕターンさせるに必要な電線長さを削減できると共に、Ｕターン部分が周辺機器と接触する問題もなく、さらに、Ｕターンの結束時に発生する品質のバラツキをなくすことができる。
【図面の簡単な説明】
【００１８】
【図１】（Ａ）は実施形態のワイヤハーネスの配索状態を示す断面図、（Ｂ）は要部説明図である。
【図２】前記ワイヤハーネスの枝線端末に取り付けるコネクタを示し、（Ａ）は斜視図、（Ｂ）はコネクタと枝線の電線との接続状態を示す説明図、（Ｃ）はワイヤハーネスの枝線の配索形態を示す正面図である。
【図３】前記ワイヤハーネスに取り付ける止水具を示し、（Ａ）は斜視図、（Ｂ）は正面図、（Ｃ）は側面図である。
【図４】前記止水具をワイヤハーネスの枝線端末に取り付けた状態を示す斜視図である。
【図５】前記止水具を通過する電線を示す正面図である。
【図６】前記電線を伝う水滴を前記止水具で払拭する動作を示す説明図である。
【図７】止水具の第１変形例を示す図面である。
【図８】止水具の第２変形例を示す正面図である。
【図９】ワイヤハーネスの止水構造の変形例を示し、（Ａ）は第１変形例の側面図、（Ｂ）は第２変形例の側面図である。
【図１０】（Ａ）（Ｂ）は従来例を示す図面である。
【図１１】他の従来例を示す斜視図である。
【発明を実施するための形態】
【００１９】
以下、本発明の実施形態を図面を参照して説明する。
図１乃至図６に示す実施形態のワイヤハーネス用の止水具１は、図１に示すように、自動車のインストルメントパネル５０の内部に配索するワイヤハーネス２に取り付けている。ワイヤハーネス２の左右方向に配線する幹線２ａから分岐して下向きに配線する枝線２ｂの端末に非防水のコネクタ３を接続している。該コネクタ３はインストルメントパネル５０の内部に設置する電子制御ユニット５１に設けたコネクタ嵌合部５１ａに上下縦向きに嵌合されるものである。
【００２０】
ワイヤハーネス２の枝線２ｂの端末に接続する前記コネクタ３は、図２に示すように、直方体形状のコネクタハウジング３ａの内部に複数列の端子収容室３ｂを２段で備えている。コネクタ３の電線挿入側端面３ｃに開口する端子収容室３ｂの入口から枝線２ｂを構成する電線群の各電線４の端末に圧着した端子を挿入係止している。インストルメントパネル５０の内部は非浸水領域とされているため、コネクタ３は前記のように非防水コネクタを用いており、挿入する電線には防水ゴム栓等は取り付けていない。
【００２１】
コネクタ３を端末に接続する枝線２ｂは、前記のように、ワイヤハーネスの幹線２ａから分岐して下向きに配線されると共に、コネクタ嵌合部５１ａにコネクタ３を嵌合する直前で前方に向けて横向きに屈曲し、コネクタ３を上下縦長方向としてコネクタ嵌合部５１ａに嵌合される。よって、図２（Ｂ）に示すように、コネクタ３の２段の端子収容室３ｂは左右方向に並び、各段の端子収容室３ｂに接続する電線４が上下縦方向に並び、この上下に並ぶ電線は、右列電線４Ｒと左列電線４Ｌとの２列の電線群となる。
【００２２】
コネクタ３に接続する枝線２ｂには、コネクタ３の電線挿入側端面３ｃに近接する０〜２０ｍｍの範囲に図３に示す止水具１を取り付けている。該止水具１により、枝線２ｂを構成する電線４の外面に上方位置で水滴６０が付着し、該水滴６０が下向き配線される電線４の外面を伝ってコネクタ３へ浸水するのを阻止している。
【００２３】
図３に示すように、止水具１は樹脂成形品からなるフレーム１０と樹脂製の樹脂毛１１ｋからなるブラシ１１（１１Ａ、１１Ｂ）とで構成している。フレーム１０は上端連結部１０ａの左右両端から上下縦方向に両側枠部１０ｂ、１０ｃを垂設した下面開口の略逆Ｕ字形状としている。該フレーム１０の両側枠部１０ｂ、１０ｃの内面全面に対向して前記ブラシ１１（１１Ａ、１１Ｂ）を突設している。両側枠部１０ｂ、１０ｃの前後幅は約２ｍｍ、上下長さはコネクタ３の縦寸法と略同等とし、本実施形態では４０ｍｍとしている。
【００２４】
フレーム１０の上端連結部１０ａは、両側枠部１０ｂ、１０ｃの上端からそれぞれ後上方に傾斜させた屈曲部１０ａ１を横向き円弧部１０ａ２で連結し、該横向き円弧部１０ａ２の中央上端から上向きにテープ巻き片１０ａ３を突設させた形状としている。該テープ巻き片１０ａ３をワイヤハーネスの枝線２ｂの下向き配線部２ｂ１の後面に押し当てて粘着テープＴで巻き付けて固着し、この状態で、両側枠部１０ｂと１０ｃを枝線２ｂの横向き配線部２ｂ２の両側外面に押し当てるようにしている。
【００２５】
両側枠部１０ｂ、１０ｃの内面全面に、歯ブラシと同様に、可撓性を有する樹脂毛１１ｋを密集させて植え込んでブラシ１１（１１Ａ、１１Ｂ）を設けている。具体的には、多数本の樹脂毛１１ｋを束ねて、両側枠部１０ｂ、１０ｃの内面に穿設した植付穴（図示せず）に押し込み固着して形成している。なお、樹脂毛を突設したシートを両側枠部１０ｂ、１０ｃの内面に接着剤で固着してもよい。前記左右のブラシ１１Ａ、１１Ｂの突出寸法はブラシ先端間に１ｍｍ程度の隙間Ｃがあく寸法としているが、先端同士が互いに接触してもよい。
【００２６】
前記構成とした本発明の止水具１は、ワイヤハーネス２の枝線２ｂの端末領域のコネクタ３との接続部直前に前記のようにテープ巻き片１０ａ３を粘着テープＴで巻き付けて、両側枠部１０ｂ、１０ｃを枝線２ｂの電線４の外面に押し当てて取り付けている。詳細には、本実施形態では、図２（Ｂ）に示すように、枝線２ｂの１０本の電線が５本づつに別れ、コネクタ３の左右２列の端子収容室３ｂにそれぞれ挿入することにより、５本の電線４が上下に並ぶ列が２列できる。５本の右列電線４Ｒの外面に右側の枠部１０ｃを押し当て、５本の左列電線４Ｌの外面に左側の枠部１０ｂを押し当てている。
【００２７】
前記止水具１を枝線２ｂに取り付けたワイヤハーネス２を自動車のインストルメントパネル５０内に配索し、枝線２ｂを下向きに配線した後に端末で横曲げして、コネクタ３を電子制御ユニット５１のコネクタ嵌合部５１ａに嵌合する。この状態で、枝線２ｂの横向き配線部２ｂ２に取り付けた止水具１は上下縦向きに配置される。
【００２８】
よって、例えば、インストルメントパネル５０の上方で乗員が水をこぼしたり、ドア開放時に雨水が吹き込んで、インストルメントパネル５０内に上方から浸水が生じた場合、ワイヤハーネス２に水滴が付着し、下向きに配索する枝線２ｂの電線４の外面を伝って端末のコネクタ３側へと水滴が移動する。
【００２９】
コネクタ３の直前に止水具１を枝線２ｂに取り付けているため、電線４の外面を伝ってくる水滴６０は、図６に示すように、止水具１のフレーム１０の両側枠部１０ｂ、１０ｃの端面およびブラシ１１Ａ、１１Ｂと接触して、両側枠部１０ｂ、１０ｃ、ブラシ１１Ａ、１１Ｂに水滴６０が付着し、電線４の外面から水滴６０が払拭される。その際、図５に示すように、電線４に押し当てられるブラシ１１の樹脂毛１１ｋが撓んで広がり、電線４の前後面にも接触する。かつ、中央側の対向する電線４の側面には、反対側のブラシ１１の先端が接触し、左右の電線４の外面の略全面にブラシ１１の樹脂毛１１ｋが接触する。さらに、各電線４の上下に位置する樹脂毛１１ｋが電線の上下面にも接触する。このように、電線４の全外面にブラシ１１の樹脂毛１１ｋが接触し、電線４の外面を伝う水滴６０はブラシ１１および両側枠部１０ｂ、１０ｃの端面と接触してせき止め、電線外面から水滴を払拭できる。よって、電線４の外面を伝ってコネクタ３内に浸水が生じるのを確実に防止できる。ブラシ１１および両側枠部１０ｂ、１０ｃに付着した水滴６０は自重落下で下方へ滴下する。
【００３０】
前記のように、本発明の止水具は、２本のブラシを対向配置して、上端を連結した状態の簡単な構成であるため、安価に提供できる。かつ、ワイヤハーネスの電線端末のコネクタ接続箇所の直前に、２本のブラシの間に電線を通すように取り付けるだけで良い。よって、従来のように電線をＵターンさせて止水する必要はなく、Ｕターンさせるに必要な電線長さを削減できると共に、Ｕターン部分が周辺機器と接触する問題もなく、さらに、Ｕターンの結束時に発生する品質のバラツキをなくすことができる。
【００３１】
図７に止水具の第１変形例を示す。
該第１変形例の止水具１−２は、フレーム１０の上端連結部１０ａを下向き円弧形状とし、左右の両側枠部１０ｂ、１０ｃの上端に連結し、フレーム１０を逆Ｕ字形状としている。該左右の両側枠部１０ｂ、１０ｃの一方の枠部１０ｂの下部にロック穴１０ｒを設ける一方、他方の枠部１０ｃからロック穴１０ｒに挿入係止するロック爪１０ｆを先端に突設した下端連結枠１０ｅを突設している。該左右の両側枠部１０ｂ、１０ｃの内面にブラシ１１Ａ、１１Ｂを設けた構成は前記実施形態と同一である。
前記止水具１−２は、上端連結部１０ａを取付位置の複数の電線４の上面に被せるように乗せた状態で、下端のロック爪１０ｆをロック穴１０ｒに挿入係止する。この状態で、左右の両側枠部１０ｂ、１０ｃで電線４を挟持し、止水具１−２を電線４の所定位置に移動不可に取り付けている。
【００３２】
図８に第２変形例の止水具１−３を示す。
該第２変形例の止水具１−３は、上端連結部１ａの前面からコネクタ３側へ突出するひさし部１０ｇを設けている。該ひさし部１０ｇの突出量は２０〜４０ｍｍとし、ひさし部１０ｇの先端をコネクタ３の上壁に搭載して取り付け、コネクタ３と止水具１−３との間に隙間があっても、該隙間の上方から落下する水滴が電線４に付着するのを防止している。
【００３３】
図９（Ａ）（Ｂ）に前記実施形態の止水具１を用いたワイヤハーネスの止水構造の変形例を示す。
図９（Ａ）に示す第１変形例では、枝線２ｂの上下に並ぶ右列電線４Ｒと左列電線４Ｌの電線の太さ（電線径）が相違し、右列電線４Ｒは小径で、左列電線４Ｌは大径である。この場合、右列電線４Ｒに接触させるブラシ１１Ｂの撓み量と左列電線４Ｌに接触させるブラシ１１Ａの撓み量が相違して電線径の相違を吸収できる。このように、止水具１のブラシ１１の可撓性を有する樹脂毛１１ｋを電線４に接触させるため、電線径が相違しても電線外面に付着する水滴をせき止めて払拭することができる。
【００３４】
図９（Ｂ）に示す第２変形例では、左右のブラシ１１Ａ、１１Ｂの間に上下方向に並ぶ１列の電線を通している。この１列の電線は大径電線４−１、４−２、小径電線４−３、４−４からなる。この場合、電線４ー１〜４−４の左右両側外面にブラシ１１Ａ、１１Ｂが撓み量を変えて押し当てられる。
また、同一サイズの止水具１を１列の大径電線用、２列の小径電線用として共用できる。さらに、極細電線を３列以上としてブラシ１１Ａと１１Ｂの間に通しても止水効果を得ることも可能である。
【００３５】
本発明は前記実施形態に限定されず、止水具を取り付けたワイヤハーネスとコネクタ接続する機器は、インストルメントパネル内に搭載するジャンクションボックス等の電気接続箱、さらに、他のワイヤハーネスの端末に取り付けたコネクタからなる接続機器でもよい。
さらに、インストルメントパネル内に配索する前記ワイヤハーネスに限らず、非防水コネクタまたは簡易防水コネクタが端末に接続されると共に、該ワイヤハーネスの外面に付着する水滴がコネクタに浸水する恐れがある場合、該コネクタ接続箇所の直前に本発明の止水具を取り付けて、簡単に止水対策を行うことができる。
【符号の説明】
【００３６】
１  止水具
２  ワイヤハーネス
２ｂ  枝線
３  コネクタ
４  電線
１０  フレーム
１０ａ  上端連結部
１０ｂ、１０ｃ  両側枠部
１１（１１Ａ、１１Ｂ）  ブラシ
１１ｋ  樹脂毛
【図１】
2016067116.tif 000003
【図２】
2016067116.tif 000004
【図３】
2016067116.tif 000005
【図４】
2016067116.tif 000006
【図５】
2016067116.tif 000007
【図６】
2016067116.tif 000008
【図７】
2016067116.tif 000009
【図８】
2016067116.tif 000010
【図９】
2016067116.tif 000011
【図１０】
2016067116.tif 000012
【図１１】
2016067116.tif 000013